(57)【特許請求の範囲】
【請求項１】
（ａ）プラグ組立（１２）と、（ｂ）このプラグ組立（１２）と結合するコンセント組立（１３）とを有するモジュラー中二階コネクタ装置であって、前記プラグ組立（１２）は、（a1）その中に規定されたポケット（２５）内にそれぞれ配置される複数の可溶性の素子（２９）を有する第１の共通ベース（１４）と、（a2）複数のプラグ接点（５９、６１）であって、このプラグ接点が前記第１の共通ベースのポケット（２５）の1つの中に前記可溶性の素子（２９）の1つを固定する端部（６３）を有する前記プラグ組立（１２）に組込まれたプラグ接点組立（１６）と、（a3）前記第１の共通ベース（１４）に結合されたプラグカバー（１８）とを有し、前記コンセント組立（１３）は、（b1）その中に配置されたポケット（２５）内にそれぞれ配置される複数の可溶性素子（２９）を有するとともに、第１の共通ベースと第２の共通ベースとはより簡単な製造と低減されたコストのために実質的に同一である第２の共通ベース（１４）と、（b2）複数のコンセント接点（８４、８６）であって、この各コンセント接点が前記第２の共通ベース（１４）のポケット（２５）の１つの中の可溶性素子（２９）の１つに固定される端部（１０２）およびプラグ接点（５９、６１）を受入れるためのスペースを規定する対向するフォーク（１０８）を有するコンセント組立（１３）内に組込まれたコンセント接点組立（７２）と、（b3）前記第２の共通ベース（１４）に結合され、前記プラグカバー（１８）と結合するコンセントカバー（７０）とを有することを特徴とするコネクタ装置。
【請求項２】
前記プラグ組立（１２）は、さらに前記プラグカバー（１８）と第１の共通ベース（１４）との間に組込まれたスペーサ（２０）を有することを特徴とする前記請求項１記載のモジュラー中二階コネクタ装置。
【請求項３】
前記コンセント組立（１３）は、さらに前記コンセントカバー（７０）と第２の共通ベース（１４）との間に組込まれたスペーサ（２０）を有することを特徴とする前記請求項１記載のモジュラー中二階コネクタ装置。
【請求項４】
前記プラグ組立（１２）は、さらに前記プラグカバー（１８）と前記第１の共通ベース（１４）との間に組込まれたスペーサ（２０）を有するとともに、前記コンセント組立（１３）は、さらに前記コンセントカバー（７０）と第２の共通ベース（１４）との間に組込まれたスペーサ（２０）を有することを特徴とする前記請求項１記載のモジュラー中二階コネクタ装置。
【請求項５】
前記第１および第２の共通ベース（１４）のポケット（２５）は、隙間のある菱形形状内に配置されることを特徴とする前記請求項１記載のモジュラー中二階コネクタ装置。
【請求項６】
前記第１および第２の共通ベース（１４）のポケット（２５）は、隙間のある菱形形状内に配置され、また前記第１および第２の共通ベース（１４）は、さらに接点が挿入されるポケット（２５）のそれぞれの上方に配置された凹所（２２）を有することを特徴とする前記請求項１記載のモジュラー中二階コネクタ装置。
【請求項７】
前記複数のプラグおよびコンセント接点（５９、６１；８４、８６）は、インラインのストリップライン形状に配置されることを特徴とする前記請求項１記載のモジュラー中二階コネクタ装置。
【請求項８】
前記複数のプラグ接点（５９、６１）およびコンセント接点（８４、８６）は、ストリップラインＩ形ビーム形状に配置されたことを特徴とする前記請求項１記載のモジュラー中二階コネクタ装置。
【請求項９】
さらに、前記プラグカバー（１８）とコンセントカバー（７０）に結合されるアダプタ（１１０）を有することを特徴とする前記請求項１記載のモジュラー中二階コネクタ装置。
【請求項１０】
複数のプラグ接点（５９、６１）を第１の共通ベース（１４）に挿入することと、プラグカバー（１８）を第１の共通ベース（１４）に結合し、前記所望の積み重ね高さに合致する必要がある場合には、前記プラグベース（１４）およびコンセントカバー（１８）間にスペーサ（２０）を取り付けることと、複数のコンセント接点（８４、８６）であって、複数のプラグ接点（５９、６１）の１つを受入れるためにスペースを規定する対向するフォーク（１０８）を有するものを第２の共通ベース（１４）に挿入することと、コンセントカバー（７０）を前記第２の共通ベースに結合することと、前記プラグカバー（１８）をコンセントカバー（７０）に結合し、これによって、前記複数のプラグ接点（５９、６１）を前記複数のコンセント接点（８４、８６）と電気的に接続関係におくこととを有することを特徴とするモジュラー中二階コネクタ装置を所望の積み重ね高さに製造する方法。
【請求項１１】
前記可溶性素子（２９）は、ソルダーボールであることを特徴とする前記請求項１０記載の方法。
【請求項１２】
前記複数のプラグ接点（５９、６１）を挿入することは、さらにインラインストリップライン形状において複数のプラグ接点（５９、６１）を挿入すること、そして、さらにインラインストリップライン形状において複数のコンセント接点（８４、８６）を挿入することを有することを特徴とする前記請求項１０記載の方法。
【請求項１３】
前記複数のプラグ接点（５９、６１）を挿入することは、さらに前記プラグ接点（５９、６１）をストリップラインのI形ビーム形状内に挿入し、さらに前記複数のコンセント接点（８４、８６）を挿入することは、さらにコンセント接点をストリップラインのI形ビーム形状内に挿入することを有することを特徴とする前記請求項１０記載の方法。
【請求項１４】
前記第１および第２の共通ベース（１４）は、それぞれ隙間を有する菱形形状に配置される複数のポケット（２５）を有することを特徴とする前記請求項１０記載の方法。
【請求項１５】
前記プラグカバー（１８）を前記第１の共通ベース（１４）に結合することは、前記第１の共通ベース（１４）から延びる複数のタブ（２８）を複数の前記プラグカバー（１８）における複数の溝（３８）に挿入することを有することを特徴とする前記請求項１０記載の方法。
【請求項１６】
前記コンセントカバー（７０）を第２の共通ベース（１４）に結合することは、前記第２の共通ベースから延びる複数のタブ（２８）を前記コンセントカバー（７０）の複数の溝（８０）に挿入することを有することを特徴とする前記請求項１０記載の方法。
【請求項１７】
プラグカバー（１８）を前記コンセントカバー（７０）に挿入することは、前記コンセントカバー（７０）を締り嵌めに前記プラグカバー（１８）の内側（４０）に挿入することを有することを特徴とする前記請求項１０記載の方法。
【請求項１８】
前記プラグカバー（１８）をコンセントカバー（７０）に結合することは、前記複数のプラグ接点（５９、６１）を、前記コンセントカバー（７０）のスロット（８２）を通して対応するコンセント接点（８４、８６）と接触するように挿入することを有することを特徴とする前記請求項１０記載の方法。
【請求項１９】
プラグ組立（１２）とこのプラグ組立と結合するコンセント組立（１３）とを有するモジュラー中二階コネクタ装置であって、前記プラグ組立（１２）とコンセント組立（１３）とは、それぞれベースを有し、このベースは、複数の凹所（２２）と、隙間のある菱形形状に配置され、接点が凹所（２２）の１つを通してポケット（２５）の１つに延びることができるように各凹所（２２）の下側にポケットがある複数の菱形ポケット（２５）とを有し、前記複数の凹所（２２）は、前記ポケット内に延びている接点の一部分の周囲における良好なソルダ取付のために前記凹所（２２）を通して菱形ポケット（２５）内に延びる接点が、可溶性素子（２９）を前記ポケット（２５）内に延びる接点の一部分の周囲に受け入れることができるように、形状が実質的に４角形であることを特徴とするコネクタ装置。
【請求項２０】
さらに前記プラグ組立（１２）のベース（１４）に結合されるプラグカバー（１８）と、前記コンセント組立（１３）のベース（１４）と結合されるコンセントカバー（７０）とを有することを特徴とする前記請求項１９記載のモジュラー中二階コネクタ装置。
【請求項２１】
前記プラグ組立（１２）は、さらにインラインストリップライン形状に配置された複数のプラグ接点（５９、６１）を有し、また、前記コンセント組立（１３）は、さらにインラインストリップライン形状に配置された複数のコンセント接点（８４、８６）を有することを特徴とする前記請求項１９記載のモジュラー中二階コネクタ装置。
【請求項２２】
前記プラグ組立（１２）は、さらにストリップラインI形ビーム形状に配置された複数のプラグ接点（５９、６１）を有し、また、前記コンセント組立（１３）は、さらにストリップラインI形ビーム形状に配置された複数のコンセント接点（８４、８６）を有することを有することを特徴とする前記請求項１９記載のモジュラー中二階コネクタ装置。
【発明の詳細な説明】
【０００１】
【発明の属する技術分野】
この発明は、中二階形コネクタを搭載するモジュラー基板に関する。
【０００２】
【従来の技術】
ボールグリッドアレイ（ＢＧＡ）コネクタは、この分野で一般に知られており、そのようなコネクタの通常の議論が、米国特許第５，７３０，６０６号に見られる。この種のコネクタは、集積回路がボールグリッドアレイを有するプラスチックまたはセラミック支持体に搭載され、このアレイは通常、回路支持体の電気接続パッドに位置する球形のソルダーボールを有する。このタイプのコネクタは、集積回路から延びる外部リードを使用することなく集積回路に搭載される。ボールグリッドアレイコネクタの利点の中では、より小形のパッケージサイズと、良好な電気的性能と、より低い外形とである。
【０００３】
【発明が解決しようとする課題】
従来の中二階形コネクタにおいては、特異な部品は、それぞれのコネクタ積み重ね高さと雄雌（gender）について要求された。この発明は、所望の積み重ね高さを提供するために、さまざまの混合されまたは適合される共通の部品から選択することによって選択された積み重ね高さにすることのできるコネクタを搭載する。積み重ね高さに関係なく、プラグとコンセントとは、少なくともいくつかの同一の部品を使用する。もし、より大きな積み重ね高さが必要であるならば、付加的な部品が加えられる。
【０００４】
【課題を解決するための手段】
この発明は、それぞれ共通のベースを有するプラグ組立およびコンセント組立を有するモジュラー中二階コネクタを有する。このプラグ組立およびコンセント組立は、相互に結合して印刷回路基板を有する種々の電気的部品を接続するためのモジュラーコネクタを形成する。それぞれプラグおよびコンセント組立は、共通ベースを有するので、ただ1つベースのみが両組立を作るために量産される必要がある。このことは、製造を単純化し製造コストを減少するので、利点である。
【０００５】
前記プラグおよびコンセント組立は、複数の凹所および隙間のある（interstitial）形状に配置された複数の菱形ポケットを有する。好ましくは、接点が、その凹所の1つを通してポケットの1つの中に延びるように、各凹所の下側にポケットがある。この複数の凹所は、前記凹所を通して菱形ポケットに延びる接点が、前記ポケットに延びる接点の一部の周辺に、ソルダーのような可溶性要素を受入れることができるように、好ましくは形状が実質的に４角形である。
【０００６】
前記プラグ組立は、また、プラグカバーおよび複数のプラグ接点組立を有する。このプラグカバーは、スナップを含む適切な手段によって前記ベースに取り付けられる。このプラグ接点組立は、それぞれ、プラスチックキャリアに成形される複数の接地および信号接点を有する。プラグ組立内にプラグ接点組立を保持するために、前記プラスチックキャリアは、ベース内のスロットに挿入される。
【０００７】
プラグカバーは、それを通してプラグ接点組立のプラグ接点のそれぞれの一端が延びる複数のスロットを有する。このプラグ接点の他端は、前記ベースの凹所を通してポケットに延び、ソルダーボールが、ポケットにおける接点の端部の周囲に形成される。
【０００８】
コンセント組立は、またコンセントカバーおよび複数のコンセント接点を有する。このコンセントカバーは、ベースに取り付けられる。プラグ接点組立と同様に、コンセント接点組立は、好ましくは、ベースポケット内の一端ではんだ付けされる。また、プラグ接点組立と同様に、プラグ接点組立は、好ましくはプラスチックキャリアに成形される複数の接点を有する。このプラスチックキャリアは、ベースのスロットに挿入される。
【０００９】
コンセントカバーは、好ましくは各スロットの下側に配置されたコンセント接点を有する複数のスロットを有する。このコンセント組立およびプラグ組立は、コンセントカバーおよびプラグカバーを結合することによって、一緒に結合される。好ましくはそれらはスライディング整合で結合される。一緒に結合されたときに、プラグ接点は、コンセントカバーの各スロットを通して延び、対応するコンセント接点と結合する。
【００１０】
プラグおよびコンセント組立の両者は、より大きい積み重ね高さ用の共通のスペーサを用いる。このスペーサは、いずれの組立のベースにも取り付けられ、またそれぞれプラグまたはコンセントカバーが、そのスペーサに取り付けられる。あらゆる適切な手段が、スナップを含む部品を取り付けるのに用いられる。
【００１１】
この発明の他の特徴は、以下に説明される。
【００１２】
【発明の実施の形態】
この電気コネクタは、図１および図２に示される好ましい実施例であるプラグ組立１２と、図１７および１８に示される好ましい実施例であるコンセント組立１３とを有する、結合された組立を有する中二階ボールグリッドアレイ（ＢＧＡ）を搭載するコネクタ基板である。プラグ組立１２は、コンセント組立１３と結合して、コネクタを形成する。以下に、より詳細に述べるように、プラグ組立１２およびコンセント１３は、共通ベース１４を有する。このプラグ組立１２とコンセント組立１３との製造は、このこのプラグ組立１２とコンセント組立１３とが共通ベース１４で作られるから、簡単である。このことは、また、製造コストを減少するので有益である。
【００１３】
［プラグ組立］
この発明の好ましい実施例によるプラグ組立１２の、上面および下面斜視図が、それぞれ、図１および２に示される。このプラグ組立１２は、好ましくは共通ベース１４と、複数の接点組立１６と、プラグカバー１８とを有する。このプラグ組立１２は、図１４および１５に示されるが、スペーサ２０を含む接点高さに依存している。図１に示されるように、プラグカバー１８は、機械接続および接着を含むがこれらには限定されないあらゆる適切な手段によって、好ましくは機械的に、スペーサ２０と結合される。スペーサ２０は、ベース１４に組込まれる。この構造はまた、スペーサ２０から取り外されたプラグカバー１８を有するプラグ組立１２の一部分を示す第３図に関連して理解される。（図３は、搭載されたプラグ接点組立１６の一部分のみを示しているが、プラグ組立１２は、複数のプラグ接点組立でいっぱいになることが認識される。）あるいは、より小さな積み重ね高さに対して、プラグカバー１８は、ベース１４に対して直接組込まれ、またスペーサ２０は使う必要がない。（プラグ組立１２は、図１に、また、コンセント組立１３は、図１７に、それぞれキャップ１２ａおよび１３ａを有するように示されるが、これらのキャップ１２ａ、１３ａ（同一のキャップでよい）は、製造目的のために使用されるもので、ここに述べたコネクタの部分を形成するものではない。これらのキャップ１２ａ、１３ａは、取扱いや製造中にその組立を持ち上げるためのものである。例えば、組立１２、１３は、キャップ１２ａ、１３ａに対する吸引を適用することによって、真空持ち上げすることができる））。
【００１４】
プラグ組立１２およびコンセント組立１３用の共通ベース１４の好ましい実施例は、図４および５に示される。このベース１４は、プラグおよびコンセントの両者を形成するために使用される。図４は、ベース１４の上面部１４ａの上面斜視図であり、図５は、ベース１４の上面部１４ａの下面斜視図である。ベース１４は、適切な材料から構成され、好ましくは高分子材料である。さらにベースは、好ましい実施例に示されるような一体物に構成され、それは成形されたプラスチックの単一片、またはある数の片である。
【００１５】
図４に示すように、ベース１４の上面部１４ａは、複数の凹所２２を有する。凹所２２の好ましい実施例のより近い図が、図６の斜視図に示される。凹所２２のそれぞれは、好ましくは２対の対向する角度をもった壁２４、２６で規定される。角度をもった壁２４、２６は、それらが一部分凹所２２を規定するので、相互に近づくが接しない。以下に、より詳細に、そして図８に示すように、プラグ接点組立１６のプラグ接点の一端は、もしベース１４が、コンセント組立の部分として使用されるべきならば、各凹所２２内に嵌る。あるいは、ベース１４が、コンセント組立のベースとして使用されるべきならば、コンセント接点組立のコンセントは、凹所２２内に挿入される。プラグ接点組立１６の構造については、さらに以下に述べる。
【００１６】
図５は、ベース１４の斜視図の下面図を示し、図７は、ベース１４の底部１４ｂの一部分の拡大図を示す。図７に最もよく示すように、凹所２２は、好ましくは実質的に４角形であるように規定される。ベース１４の底部１４ｂは、壁２７によって規定される複数のポケット２５を有する。壁２７は、好ましくは、図７に示すようにポケットを菱形に規定するために形づくられる。
【００１７】
さらには、ボールグリッドアレイコネクタは、好ましくは、可溶性要素、さらにより好ましくは、ソルダーであるが、各可溶性要素は、前記凹所２２を通って延びる接点と電気的接触状態にあるように、各ポケット内に配置される。このことは、図１のプラグ組立１２を介しての断面図である図８および９に関連して最もよく理解される。図示された実施例では、可溶性要素は、ソルダーボールである。用語ボールは、ソルダーの特別な幾何学的形状のように限定することを意味しない。図８および９に示すように、ソルダーボール２９は、ポケット２５内に配置され、前記プラグ接点は、ベース凹所２２を通してポケット２５内に延びる。各プラグは、それぞれのポケット２５におけるソルダーボール２９に濡らされている。各ベース１４は、ソルダーボール２９と回路との間の電気接続を形成するために、電気部品に結合される。例えば、ベース１４は、集積回路を有する基板に結合されて、ソルダーボールと回路との間の電気接続を形成する。
【００１８】
図５および７に示すように、ポケット２５は、普通、各ポケット２５の中心線が、そのポケット２５から２列離れる他のポケット２５の中心線と一列になるように、交互の列（alternating  rows）の形に配置される。述べた代わりに、ポケット２５は、好ましくは隙間のある菱形形状に配置される。この菱形形状の隙間の形状は、標準の商用ポケット寸法を維持し、標準のＢＧＡソルダーボールを用いる限り、接点がより緊密に詰められる。この菱形の方向は、また接点のための付加的な間隙を提供する。特に、図７の菱形ポケット２５とともに、その接点が凹所２２内の中央でないとしても、その凹所を介して延びる接点の端部の全周辺に間隙が、常に存在する。対照的に、いくつかの従来の設計では、凹所２２およびポケット２５は、ともに、４角形であり、その接点は、中央でなければ、その凹所またはポケットを規定する壁に対して押圧できるものであった。そのような設計では、もしその接点が、凹所２２の中央でないならば、ソルダーは、接点端部の全周辺には延びないという可能性がある。もしソルダーが、接点端部の全周辺をとり囲んでいないならば、そのときは、ソルダー、接点、他の電気部品間の接続の機械的完全さは低下する。
【００１９】
一般に理解されるように、プラグおよびコンセント組立１２、１３は、接点やソルダーにおける熱応力を含む電力および熱サイクルを受ける。接点の端部の全周辺にソルダーを有することは、ソルダー濡れ（接点に付着したソルダー）を有しない接点端部の領域が、これらの応力に対して、より敏感であるので、有益である。したがって、接点の全周辺にソルダーを有することは、ボール保持力およびＴサイクル寿命を増すことができる。
【００２０】
図４および５に最もよく示されているように、ベース１４は、また反対側から延びる複数のタブ２８を有する。さらに以下に説明するように、これらのタブ２８は、ベース１４をプラグカバー１８、スペーサ２０、またはコンセントカバー７０に取り付けるために、プラグカバー１８（図１０、１１に示す）内に配置された溝３８、スペーサ２０（図１４、１５に示す）の溝４３、またはコンセントカバー７０（これは以下に説明し、図２０、２１に示される）の溝８０に嵌合する。タブ２８および溝３８、４３、８０は、好ましい実施例において接続手段として使用されるけれども、いかなる適切な取付手段も使用することができる。例えば、他の接続手段は、ファスナーや接着を用いることができるが、これに限定されない。
【００２１】
また、図４に示されるスロット３０は、またベース１４内に配置される。スロット３０は、接点組立１６、７２がベース１４内に組込まれるので、接点組立、プラグ接点組立１６、またはコンセント接点組立７２（これは、以下により詳細に議論され、図１９、２４に示される）を受入れるように構成される。接点組立のアタッチメント、ベースおよびコンセント組立の両者は、さらにより詳細に以下に説明される。
【００２２】
プラグカバー１８の実施例が、図１０、１１に示される。図１０は、プラグカバー１８の等角上面図を示し、図１１は、等角底面図を示す。図示のとおり、プラグカバー１８は、好ましくは単一の成形片であり、あるいは、種々の片から構成されてもよい。このプラグカバー１８は、いかなる適切な材料で構成することもでき、るが、好ましくは、高分子形材料が用いられる。
【００２３】
図３および１０に示すように、プラグカバー１８は、図１および３に関連して最もよく理解されるように、プラグ接点をそれぞれ受入れることができる複数のスロット３２を有する。図１は、スロット３２を介して延びたプラグ接点を示し、図３は、プラグ接点５９、６１を超えて挿入されるスロット３２を示す。好ましい図示の実施例において、スロット３２は列に配置され、１列当り１０歯ある。しかしながら、いくつかのスロット３２および歯３５は、多数の他の形状に配置される。
【００２４】
各列のスロット３２の下側は、図１１に示されるように２つの連続するスロット３４である。図１２は、数個のスロット３２を介して図１０の線１２−１２線に沿う断面図である。図示するように、スロット３２は、好ましい実施例において、好ましくはそれらを介して接点の挿入を容易にするために、好ましくは相互から離れて角度をもつ１対の反対側面３１によって規定される。また、壁３３は、スロット３２の実質的に縦方向の区画を規定する。スロット３２は、さらに、図１０、１２に示すように、外部表面３６の上方に延びる歯３５によって規定される。これらの歯３５は、プラグ接点用の付加的支持を提供し、また、図９に示すように、さらにスロット３２を狭くする。多様な他の構造が、スロット３２を形成するのに用いられることが、認識される。支持部材３３ａは、好ましい実施例において、図１１および１３に示されるプラグカバー１８と一体に形成され、プラグカバー１８の中間を横切って長手方向に延びて、プラグ接点組立のための整列を与える。
【００２５】
溝３８を規定する部材３７は、プラグカバー１８の対向する側面から延びる。ベース１４のタブ２８は、ベース１４をプラグカバー１８にスナップ嵌めするために、溝３８に嵌り込む。あるいは、以下に説明するように、スペーサ２０におけるタブ４４は、プラグカバー１８をスペーサ２０に取り付けるために、溝３８に嵌り込む。この構造は、図１の好ましい実施例に示される。この示された好ましい実施例において、ベース１４またはスペーサ２０のいずれか一方の８つのタブ２８と結合する各部材３７には、８本の溝３８があるが、いかなる他の適切な数も使用できる。代わりの手段は、プラグカバー１８をベース１４またはスペーサ２０のいずれかに取り付けるために、用いることができる。
【００２６】
プラグカバー１８は、好ましく寸法採りし、かつ形状にして、コンセント組立を受入れるための内部４０を規定する壁３９を有する。好ましくは、コンセント組立１３は、滑り嵌めが創り出されるように、内部４０内に滑り嵌めされる。壁３９の角４２は、好ましくは、以下に議論するコンセント組立の角が壁３９内に滑り嵌めするように、寸法採りされ、形づくられる。プラグ１２およびコンセント１３は、多数の他の構造と一体に嵌り込むことができることが認識され、このことは２つの組立１２、１３を取り付けるための好ましい方法の一例である。プラグ組立の１つまたはそれ以上の角は、これらの角が、コンセントカバーに対応して寸法採りされ、または形づくられた角の特別の角のみと結合するように、寸法採りされ、または形づくられる。このことは、カバーが、適切な方向に結合されることを確実にする。
【００２７】
図１４および１５は、スペーサ２０の好ましい実施例の斜視図を示す。図１４および１５は、それぞれ上面および下面の斜視図である。好ましくは、スペーサ２０は、単一の成形片である。あるいは、スペーサ２０は、複数個の片から構成される。スペーサ２０は、高分子材料であるが、あらゆる適切な材料が使用できる。異なる高さのスペーサ２０は、望ましい積み重ね高さのコネクタを達成するために、プラグ組立１２またはコンセント組立１３のいずれかとともに使用することができる。より大きな積み重ね高さのために、より高い、またはより多くのスペーサが使用され、また、より小さな積み重ね高さのために、より小さい、またはより少ないスペーサが使用される。好ましい実施例において、単一のスペーサ２０がプラグ組立１２に使用され、図１に示すように、ベース１４およびプラグカバー１８に接続される。
【００２８】
スペーサ２０は、好ましくは，スペーサ２０をベース１４、またはプラグカバー１８に接続するための適切な手段を有する。図示された好ましい実施例において、接続手段は機械的な形の接続手段であって、溝４３を有し、この溝４３は、ベース１４のタブ２８と結合される。スペーサは、また、タブ４４を有して、スペーサをプラグカバー１８の溝３８にスナップ嵌めする。好ましくは、スペーサ２０は、スペーサ２０の２つの対向側面に溝４３およびタブ４４を有する。１つの側面のみ図１５に示されるが、他の側面は同一の構造であることが望ましい。
【００２９】
接点組立を受入れるための一連の溝４５は、スペーサ２０内に配置される。溝４５は、好ましくは接点組立の側端を支持する内側に延びる仕切り４７によって規定される。
【００３０】
スペーサ２０は、また下方に延びる複数の脚４９を有する。これらの脚部４９は、図１および３に示すように、さらには図１４および４との対比によって理解されるように、スペーサがベース１４上に位置しているときにベース１４の上側５１に載っている。スペーサ２０は、図３で最もよく理解されるように、ベース１４と結合するときに窓５５を創り出す面５３を有する。これらの窓５５は、スペーサ２０の重量を減少するのに役立ち、冷却のためにプラグ組立に空気の通路を提供する。窓５５は、また、好ましくは、中心線に関して非対称である。このことは、プラグ組立を製造すること、および、スペーサ２０を振動フィードシステムにおいて指向することに助けとなる。
【００３１】
図１６は、接点組立１６が分離され、部分５７を除去する前に、図１のプラグ組立とともに使用するためのプラグ接点組立１６の好ましい実施例を示す。プラグ接点組立１６は、複数の交互の接地５９および信号接点６１を有する。これらの接点のいかなる数も、プラグ接点組立を作り出すのに使用することができる。好ましい実施例において、１０個の接地５９と８つの信号接点６１とが使用される。
【００３２】
接点５９、６１は、必要ではないが、接点５９、６１の濡れを改善するために、図８および９に示すようにソルダーボールに接続される端部６３で細片化した金であってもよい。接点５９、６１の結合端は、また、高信頼性および比較的に低い結合力を与えるために、細片化された金であることができる。接点５９、６１の残りの部分は、ソルダーが接点５９、６１に移動することを防止するために、めっきされたニッケルであることができる。図８は、プラグ組立１２に挿入されたプラグ接点組立１６を示す断面図であって、ベース１４のボールポケット２５にソルダーボール２９に接続された信号接点の端部６３を示す。図示された接点組立の接地接点５９の端部は、異なる平面にあるが、同様に、ベース１４のボールポケットにおけるソルダーボールに対して濡れている。図示されたように、接点の端部６３は、凹所２２を通してベース１４内に、およびソルダー２９が使用されて、他の電気部品に対する電気接続のためのソルダーボールを創り出す菱形ポケット２５に対して延びる。これはまた、プラグ組立１２を介して、長手方向の断面図を示す図９に示される。図示されるように、各接点５９は、ベース１４のポケット２５におけるソルダー２９に対して濡れている。
【００３３】
接点５９、６１は、打ち抜かれ、その後、プラスチックキャリア６５の端部６７は、好ましくは、ベース１４のスロット３０およびスペーサ２０の溝４５内に比較的ぴったりと嵌るように、寸法採りされ、形づくられる。これは、図３に関して最もよく理解されるもので、図３は、スペーサ２０の溝４５に挿入された複数の接点組立１６を示し、図８は、ベース１４のスロット３０およびスペーサ２０の溝４５に挿入されたプラグ接点組立を示す断面図である。
【００３４】
プラグ組立１２の組立は、図４および５に示されるように、ベース１４とともに始まることによって最もよく理解できる。もし使用されるならば、スペーサ２０は、図１５に示されるように、スペーサ２０の溝４３にベース１４のタブ２８をスナップすることによって、ベース１４に対してスナップ嵌めされる。接点組立１６は、そのときに、ベース１４のスロット３０およびスペーサ２０の溝４５のそれぞれに挿入される。それから図３に示されるように、プラグカバー１８は、タブ４４および溝３８とともにスペーサ２０にスナップ嵌めされる。そのときソルダーは、接点５９、６１の接点端部６３の周囲の各ポケットに挿入されて、ソルダーボール接続を創り出す。ポケット２５の菱形形状構造は、上述したように接点の外周辺における濡れを確実にする。
【００３５】
もし小さな高さの接点が使用されるならば、そのときはスペーサ２０は、要求されない。その場合、プラグカバー１８は、ベースタブ２８およびプラグカバー溝３８とともにベース１４に直接取り付けられる。
【００３６】
［コンセント組立］
プラグ組立１２が結合されるコンセント組立１３の好ましい実施例が、図１７および１８に示される。図１７は、コンセント組立１３の上面部の斜視図であり、図１８は、コンセント組立１３の底部または下側の斜視図である。コンセント組立１３は、一般に、ベース１４、コンセントカバー７０およびその複数個が図１９に示されているコンセント接点組立７２を有する。この好ましい実施例には示されていないが、もし必要ならば接点高さに基づくスペーサ２０が、ベース１４およびカバー７０間に使用される。図１９は、ベース１４に挿入された複数のコンセント接点組立を有するコンセント組立１３、およびベース１４に結合されるコンセントカバー７０の構造を示す。
【００３７】
コンセント組立１３のベース１４は、好ましくは、プラグ組立に使用される同一のベースであり、図４−７に示される。このように、コンセントベース１４の構造は、上記の議論に関連して理解される。プラグ組立１２およびコンセント組立１３のための共通のベースを使用することによって、プラグおよびコンセント組立のための２つの異なるベースを生産しなければならないことと比較して、製造がより容易であり、より安価である。
【００３８】
図２０および２１は、プラグカバー１８をインターフェースで接続するコンセントカバー７０の好ましい実施例を示す。図２０は、コンセントカバー７０の等角上面図であり、図２１は、等角底面図である。コンセントカバー７０は、好ましくは、単一成形片であるが、コンセントカバー７０は、多数の片から構成されてもよい。いかなる適切な材料ではあるが、好ましくは重合体が、コンセントカバー７０を製造するのに使用される。図１および１７に関連して最もよく理解されるように、コンセントカバー７０は、このコンセントカバー７０が、プラグカバー１８の内部４０内に滑り嵌めするように、好ましくは、プラグカバー１８の内部４０に対応するように形づくられる第１の部分７４を有する。プラグ組立１２のプラグカバー１８は、コンセントカバー７０の上をおおって嵌り、２つの組立を接続してコネクタを形成することは、図１を検討することによって、認識される。コンセントカバー７０の角７６は、２つの組立が一緒に摺動して、相対的にぴったりと滑り嵌めするように、プラグ組立１２の角を滑り係合するように調整され、または寸法採りされ、形づくられる。
【００３９】
好ましい実施例において、コンセントキャップすなわちコンセントカバー７０は、それぞれが、ベース１４のタブ２８を受入れるために複数の溝８０を有する側方に延びる部分７８を有する。好ましい実施例において、側方に延びる各部分には８個の溝８０がある。コンセントカバー７０は、ベース１４のタブ２８にスナップ嵌めして、図１７および１８に示すようにコンセント組立１３を形成する。
【００４０】
コンセントカバー７０の上面部は、好ましくは、複数の側方に伸びるスロット８２を有する。これらのスロット８２は、プラグ接点５９、６１を受入れるためである。図１および１７を検討することによって認識されるように、プラグ接点は、スロット８２を通して下方に延び、図１９に示すように、対応するコンセント接点８４と結合する。図２２は、またスロット８２の下側に配置されたコンセント接点８４を示している。スロット８２は、好ましくは、対応するコンセント接点８４、８６に対して、プラグ接点５９、６１を向けるために、相互に角度づけられる対向する壁８８によって一部分規定される。
【００４１】
支持部材９０は、好ましくは、コンセントカバー７０の下側に沿って長手方向に延びる。この支持部材９０は、好ましくは、図２３の断面図に示すように、コンセント接点組立部材９６を受入れるための複数の突条９２および溝９４を有する。
【００４２】
図２４は、それが分離されて、部分９８を取り除く前に、この発明で使用されるコンセント接点組立７２の好ましい実施例の斜視図を示す。コンセント接点組立７２は、交互の接地８４および信号８６接点とプラスチックキャリア１００とを有する。これらの接点は、構造上異なるが、コンセント接点組立７２の一般的構造は、プラグ接点組立１６に関する議論に関連して理解される。コンセント接点は、好ましくは、打ち抜かれ、それからプラスチックキャリア１００に成形される。それらは、それから、分離されて、不必要な部分９８を取り除かれる。コンセント接点の端部１０２は、図２２および２３に示されるように、ベースポケット２５に配置されたときにソルダー２９と濡れを確実にするために細片化した金であることができるが、そうである必要はない。接点の結合端も、また高信頼性のために、さらには結合する力を減少するために細片化した金であることができる。プラスチックキャリア１００の端部１０４は、好ましくは、図１９に示されるように、それがベース１４のスロット３０に挿入されるように、寸法採りされ、形づくられる。
【００４３】
コンセント接点組立７２は、また、図２３の断面図に示されるように、コンセントカバー７０の支持部材９０における２つの突条９２によって規定される溝９４内に比較的にぴったりと嵌り合う支持部材９６を有する。これは、コンセント接点組立７２のための安定性を提供する。
【００４４】
図１９、２２および２４に示すように、コンセント接点１０６の一端は、プラグ形接点５９、６１を受入れるためのスペース１１０を規定する、対向するフォーク群１０８を有する。図３におけるプラグ接点５９、６１を検討することによって認識されるように、プラグ接点５９、６１は、電気接続を与えるために、コンセント接点８４、８６のフォーク端１０８間に嵌り合う。
【００４５】
コンセント組立１３は、図１９に関して最もよく理解されるように、複数のコンセント接点組立７２をベース１４のスロット３０に挿入することによって構成される。上述したように、プラスチックキャリア１００は、スロット３０内に比較的ぴったりと滑り嵌めされるように寸法採りされ、形づくられる。コンセントカバー７０は、図１９に示すように、コンセントカバー７０の溝８０内にベース１４のタブ２８をスナッピングによって、ベース１４の上をおおうようにスナップ嵌めする。コンセントカバー７０がベース１４に取り付けられるときは、コンセント接点組立７２の支持部材９６は、コンセントカバー支持部材９０の溝９４内に嵌り合う。
［プラグ部材およびコンセント組立の結合］
プラグ部材およびコンセント組立１２、１３は、コンセントカバー７０をプラグカバー１８の内部４０内に挿入することによって結合される。コンセントカバー７０のコンセント角７６は、プラグカバー１８の角４２内に、比較的ぴったりと滑り嵌めされて、滑り嵌めおよび調整嵌めを形成する。一体に結合されたときには、図３に示されるプラグ接点５９、６１は、コンセントカバー７０のスロット８２を通して延び、対応するコンセント接点８４、８６と結合して、各接点間の電気接続を創り出す。このコネクタは、プラグ５９、６１およびコンセント接点８４、８６およびそれらをとり囲むソルダーボールとを有する電気接点に配置される回路を有する印刷回路基板のような他の電気部品に結合される。
【００４６】
図２４Ａは、第１の好ましい実施例における信号および接地接点の配置の概略線図である。この信号および接地接点は、「インラインストリップライン」形状と呼ぶものに適応される。この形状において、図３および１９に関連して理解されるが、各信号接点６１、８６のいずれか一側に、個別の接地接点５９、８４がある。図３および１９から認識されるように、個別の接地接点５９、８４は、信号接点６１、８６のいずれか一側に配置されて、信号接点用の電気的接地関係を与え、かつ、電気的ストリップライン形状を与える。信号および接地接点間の、ギャップＨ、厚さｔ、幅ｗおよびピッチｐを有する幾何学的な関係は、変動されて、所望のコネクタインピーダンスおよび電気的性能を達成する。
【００４７】
この発明は、このようなストリップライン形状に限定されないが、そのインラインストリップライン形状は、コストや製造に関する効果を含む数種の効果（以下に述べたＩ形ビームアプローチに関連して）を有する。例えば、同一の接点が、全ての配置に使用され、その接点は、連続して打ち抜かれ、相対的に調和した接点ギャップ（Ｈ）を創り出す。このことは、所望の最適の電気性能を達成することにおいて利益がある。加えて、すべてのコネクタ接点は、異なる、または単一の終端信号、またはこれらの組合せのために使用される。図２４に示されるキャリア１０４の成形は、それらの接点が、細い幅が、型の閉塞する方向内にあるように配向された接点とともに、縦方向列に成形されるので、より容易である。その他の効果は、接地平板が使用されないので、コネクタ容積（熱的容量を含んで）がより小さく、顧客の印刷回路基板（ＰＣＢ）により容易に適用できることである。
【００４８】
図２４Ｂは、信号接点が接地接点によってとり囲まれているインラインストリップ形状の中二階を示す。この形状は、クロストークの減少に効果がある。
［他の実施例］
上記に述べたプラグ組立およびコンセント組立の数多くの変更が、ここに述べた発明の精神から逸脱しないでなされる。このような変更の例は、プラグおよびコンセント組立とそれらの部品とを接続する方法、組立内の接点の配置、接点組立の形状、接点の支持、および組立の形状や寸法を含むがこれらに限定されない。
【００４９】
１つの他の実施例が、図２５−３０に述べられる。図２５は、プラグ組立５１２を形成するために使用されるスペーサ５２０に取り付けられたプラグカバー５１８の実施例を示す。複数のプラグ接点組立は、プラグカバー５１８とスペーサ５２０内に搭載される。（２、３のプラグ接点組立５１６だけが搭載されるが、その組立は、プラグ接点組立５１６をもって満たされることが認識される。）図２６は、スペーサ５２０から引き離されたプラグカバー５７０を示し、スペーサ５２０内に搭載された複数のコンセント接点組立５７２を示す。コンセントカバー５７０およびプラグカバー５１８は、スペーサ５２０にスナップ嵌めされる。図２５および２６は、プラグおよびコンセント組立に使用されるスペーサ５２０を示すけれども、いずれの組立もスペーサ５２０をもって、あるいはスペーサ２０なしで作られることが理解される。スペーサ５２０は、接点高さが、それらの使用を求めるならば、使用される。
【００５０】
図２７および２８は、それぞれ、図２５に示されるプラグ組立および図２６に示されるコンセント組立の両方を使用する共通のベース５１４の実施例における上面および下面斜視図を示す。この共通のベース５１４は、いずれかの組立に使用されたスペーサ５２０に取り付けられる。この実施例において、ベース５１４のタブ５２８は、スペーサ５２０の溝（図示せず）にスナップ嵌めされる。
【００５１】
共通ベース５１４は、プラグまたはコンセント接点組立５１６、５７２のいずれかを受入れるためのスロット５３０を有する。図２７に示されるように、それはベース５１４の上面図であり、凹所５２２は、第１の実施例で説明されたものと同等のベース５１４の上面部５１４ａに配置される。１対の対向する角度づけられた壁５２４、５２６は、各凹所５２２を創り出し、凹所５２２を狭めて、凹所５２２を通して接点端の挿入を容易にする。菱形形状のポケット５２５は、各凹所５２２の下方にベース５１４の底部５１４ｂに配置される。この菱形形状のポケット５２５は、第１の実施例として、凹所５２２を通して延びる接点の端部が、その周辺にソルダー５２９を受入れるために間隙を有するように、形づくられる。
【００５２】
図２９および３０は、コンセント接点組立５７２の実施例を示す。このコンセント接点組立５７２は、複数のコンセント接点５８４、１対の接地平板６０６および１対のプラスチックキャリア６０８を有する。このコンセント接点は、打ち抜きによって形成され、それからプラスチックキャリア６０８に成形されている。このプラスチックキャリア６０８は、図２９に示されるように、接地平板６０６における対応する穴６１２ａへの挿入のための横方向に延びる突起６１０ａを有する。
【００５３】
図２９および３０は、コンセント接点組立５７２を示すが、プラグ形接点が、コンセント接点の代りに用いられ、プラグ接点組立５１６は、さもなければ、図２９および３０に示されたものと同一であることが、認識される。この接点組立５１６、５７２は、ベース５１４のスロット５３０およびスペーサ５２０の溝（図示せず）における接点組立５１６、５７２の接地平板６０６のいずれかの端に嵌め込むことによって、プラグ５１２およびコンセント５１３内に組込まれる。このことは、図２６に関連して最もよく理解される。
【００５４】
この第２の実施例のプラグおよびコンセントは、コンセントカバー５７０をプラグカバー５１８内に挿入することによって一体に結合される。このコンセントおよびプラグカバー５１８、５７０が比較的にぴったり滑り嵌めを形成するように寸法採りおよび形づくられることが、認識される。結合されたときは、プラグ接点は、コンセントカバーのスロットを通して延びて、接点間に電気接続を創り出す。
【００５５】
図３２は、第２の実施例の接点の形状の概略的説明である。この配置は、ストリップラインI形ビーム形状として言及される。この形状において、接地平板６０６が、電気的接地関係を提供する。これは、対比して個別の接地接点を用いる上述のインラインストリップラインアプローチである。ピッチｐ、厚さｔ、ギャップｈおよび幅ｗを含むその幾何学的関係は、制御されて、所望のコネクタインピーダンスおよび電気性能を得る。インラインストリップライン形状は上記したように、いくつかの効果を有するが、インラインストリップラインまたはＩ形ビームストリップライン形状のいずれかが、所望の電気的性能を得るため使用されることが理解される。
【００５６】
アダプタは、プラグおよびコンセントの種々の組合せを使用し得る。例えば、図３１は、プラグ組立に対するアダプタにプラグを形成するために使用されるアダプタ６１０の実施例を示す。アダプタ６１０は、プラスチックまたはあらゆる適切な金属から製造される。アダプタ６１０は、コンセント５１３に対してプラグ５１２よりも、より長い接続が必要であるときには、２つのプラグ５１２と結合するように構成される。アダプタ６１０は、プラグ５１２に対してはその終端部６１２のひとつに、また他のプラグ５１２に対してはその他の終端部６１４に取り付けられる。アダプタ６１０は、プラグ組立５１２と結合するために、いずれかの終端部でコンセントカバー５７０から構成される。アダプタ６１０は、また、何も有していないか、または、１つまたはそれ以上の、必要な接続の長さに依存するスペーサ５２０を有する。複数の接点が、プラグ接点と結合するための終端部を有するアダプタ内に搭載される。図示された実施例のアダプタ６１０は、第２の実施例とともに使用されるものであるが、アダプタ６１０は、図示された第１の実施例と結合するためのものを含む他の実施例を有することが、認識される。アダプタ６１０に対するプラグが説明されてきたが、コンセントアダプタに対するコンセントが形成されることは、プラグおよびコンセントの他の多様な組合せと同様に、認識される。
【００５７】
［発明の概要］
プラグ１２、コンセント１３、スペーサ２０およびアダプタ６１０を用いることによって、もし必要ならば、モジュラーコネクタ組立は、選択された積み重ね高さに適応されるものを形成することができる。積み重ね高さを選択した後に、適切な接点高さとプラグ１２およびコンセント１３の両者用の接点組立とが選択される。その積み重ね高さに必要ならば、1つまたはそれ以上のスペーサ２０が、コンセントベース１４とプラグベース１４とのいずれか一方または両方に接続される。そのときに、そのプラグ用に、プラグカバー１８がそのベース１４に結合される。あるいは、より大きな積み重ね高さのために、１つまたはそれ以上のスペーサ２０が、そのプラグベース１４に取り付けられ、またそのプラグカバー１８は、上部のスペーサに組立てられる。コンセント１３のために、コンセントカバー７０が、前記ベースに結合される。同様に、より大きな積み重ね高さのために、１つまたはそれ以上のスペーサ２０が、コンセントベース１４に取り付けられ、またそのコンセントカバー７０は、最上部のスペーサ２０に取り付けられる。そのときプラグ１２とコンセント１３とは、そのプラグカバー１８をコンセントカバー７０に取り付けることによって結合される。もし必要ならば、コンセントを直接プラグ１２に取り付ける代わりに、接続の長さに基づいて、アダプタ６１０が、コンセント１３とプラグ１２とに、または２つのプラグまたは２つのコンセントに取り付けられる。そのとき、前記プラグベース１４は、基板または他の電気部品に取り付けられ、さもなければ、コンセントベース１３は、基板またはその他の電気部品に取り付けられる。
【００５８】
ベース１４、スペーサ２０、カバー１８、７０およびアダプタ６１０をもって、モジュラーコネクタは、選択された積み重ね高さに適応するように構成される。このモジュラーコネクタの必要性は、与えられた積み重ね高さのために必要なこれらの部品を有しているのみである。このことは、モジュラーコネクタは、あらゆる所望の積み重ね高さに部品とともに組立てられるので、有利である。新しい形のコネクタの必要性は、各積み重ね高さに対して設計されてはいない。このことは、異なる高さのコネクタのための専用部品の代りに、多様な部品が多様なコネクタを作るために製造できるので、製造工程を簡単化する。例えば、共通ベース１４は、プラグおよびコンセント組立１２、１３の両方に使用される。さらに、アダプタ６１０は、コンセントカバーおよびプラグカバーを有する共通部品とともに使用され、また、各組立は、共通スペーサを使用することができる。
【００５９】
この発明は、多様の用途を有するが、その１つの用途は、コネクタにおいて、約１０−３５mmの範囲間の積み重ね高さおよびコネクタ当り約１００から４００信号接点の接点量を有する。この発明のコネクタの１つの利点は、ベース１４におけポケット２５の隙間のある菱形形状である。これは、接点を緊密に納めて、良好な信号と少ないクロストークを維持しながら、コネクタのサイズを比較的小さく維持する。この菱形のポケット２５は、また、接点端の全周囲と付着した濡れまたはソルダーとの良好な接触を確実にする。上述したように、このことは、良好な電気的性能を保証する。
【００６０】
しかしながら、多数の特徴や利点は、これまでの記述において、この発明の構成や機能とともに述べられているが、その開示は、単に例証であって、変更が、細部にわたってなされ、特に、この発明の原理内における部分的な形状、寸法、配置の内容においては、付属の請求項が表現されている用語の広範な一般的意味に示された最大限の範囲になされることは、理解されるべきである。
【００６１】
【発明の効果】
この発明によれば、プラグおよびコンセント組立は、共通ベースを有するので、ただ1つベースのみ量産されればよく、製造を単純化し、製造コストを減少する。
【図面の簡単な説明】
【図１】この発明の好ましい実施例によるプラグ組立の等角上面図。
【図２】この発明の好ましい実施例によるプラグ組立の等角下面図。
【図３】取り外されたプラグカバーを有する図1のプラグ組立の組立図。
【図４】図１および２のプラグ組立、および図１７および１８のコンセント組立用の共通ベースの好ましい実施例の上面斜視図。
【図５】図１および２のプラグ組立、および図１７および１８のコンセント組立用の共通ベースの好ましい実施例の下面斜視図。
【図６】図４の共通ベースの上面部分の斜視図。
【図７】図５の共通ベースの底部部分の斜視図。
【図８】図１の８−８線に沿う断面図。
【図９】図１の９−９線に沿う断面図。
【図１０】この発明の好ましい実施例による図１のプラグ組立のプラグカバーの上面斜視図。
【図１１】この発明の好ましい実施例による図１のプラグ組立のプラグカバーの下面斜視図。
【図１２】図１０の１２−１２線に沿う断面図。
【図１３】図１０の１３−１３線に沿う断面図。
【図１４】この発明の好ましい実施例によるスペーサの上面斜視図。
【図１５】この発明の好ましい実施例によるスペーサの下面斜視図。
【図１６】分離（singulated）前のプラグ接点組立の斜視図。
【図１７】この発明の好ましい実施例によるコンセント組立の上面斜視図。
【図１８】この発明の好ましい実施例によるコンセント組立の下面斜視図。
【図１９】取り外されたコンセントカバーを有する図１７および１８のコンセント組立の組立図。
【図２０】この発明の好ましい実施例による図１７および１８のコンセント組立のコンセントカバーの上面斜視図。
【図２１】この発明の好ましい実施例による図１７および１８のコンセント組立のコンセントカバーの下面斜視図。
【図２２】図１７の２２−２２線に沿う断面図。
【図２３】図１７の２３−２３線に沿う断面図。
【図２４】分離前のコンセント接点組立の斜視図。
【図２４Ａ】好ましい接地および信号接点形状の略線図。
【図２４Ｂ】第２の好ましい接地および信号接点形状の略線図。
【図２５】プラグ組立の第２の好ましい実施例の一部分の斜視図。
【図２６】コンセント組立の第２の好ましい実施例の一部分の斜視図。
【図２７】図２５および２６のプラグおよびコンセント組立用の共通ベースの第２の好ましい実施例の上面斜視図。
【図２８】図２５および２６のプラグおよびコンセント組立用の共通ベースの第２の好ましい実施例の下面斜視図。
【図２９】コンセント接点組立の第２の好ましい実施例の斜視図。
【図３０】図２９のコンセント接点組立の一部分の側面図。
【図３１】アダプタの好ましい実施例の斜視図。
【図３２】前記第２の好ましい実施例のための好ましい接地平面および信号接点形状の略線図。
【符号の説明】
１２、５１２……プラグ組立
１３、５１３……コンセント組立
１４、５１４……ベース
１６、７２、５１６、５７２……接点組立
１８、７０、５１８、５７０……カバー
２０、５２０……スペーサ
２２、５２２……凹所
２４、２６、２７、３３、３９、８８、５２４、５２６……壁
２５、５２５……ポケット
２８、４４、５２８……タブ
２９、５２９……ソルダー、ソルダーボール
３０、３２、３４、８２、５３０……スロット
３５……歯
３８、４３、４５、８０、９４……溝
４０……内部
４２、７６……角
５５……窓
５９、６１、８４、８６、１０６、５８４……接点
６３、６７、１０２、１０４……端部
９０、９６……持部材
９２……突条
６０６……接地平板
６１０……アダプタ
６１０ａ……突起
６１２ａ……穴
６１２、６１４……終端部
【図１】
0004142367.tif 000002
【図２】
0004142367.tif 000003
【図３】
0004142367.tif 000004
【図４】
0004142367.tif 000005
【図５】
0004142367.tif 000006
【図６】
0004142367.tif 000007
【図７】
0004142367.tif 000008
【図８】
0004142367.tif 000009
【図９】
0004142367.tif 000010
【図１０】
0004142367.tif 000011
【図１１】
0004142367.tif 000012
【図１２】
0004142367.tif 000013
【図１３】
0004142367.tif 000014
【図１４】
0004142367.tif 000015
【図１５】
0004142367.tif 000016
【図１６】
0004142367.tif 000017
【図１７】
0004142367.tif 000018
【図１８】
0004142367.tif 000019
【図１９】
0004142367.tif 000020
【図２０】
0004142367.tif 000021
【図２１】
0004142367.tif 000022
【図２２】
0004142367.tif 000023
【図２３】
0004142367.tif 000024
【図２４】
0004142367.tif 000025
【図２４Ａ】
0004142367.tif 000026
【図２４Ｂ】
0004142367.tif 000027
【図２５】
0004142367.tif 000028
【図２６】
0004142367.tif 000029
【図２７】
0004142367.tif 000030
【図２８】
0004142367.tif 000031
【図２９】
0004142367.tif 000032
【図３０】
0004142367.tif 000033
【図３１】
0004142367.tif 000034
【図３２】
0004142367.tif 000035